(57)【特許請求の範囲】
【請求項１】
肌当接側に位置する透液性表面シートと、肌非当接側に位置する不透液性裏面シートと、前記表裏面シートの間に介在する吸液性コアとから構成され、前胴周り域および後胴周り域と、それら胴周り域の間に位置する股下域とを備え、前記コアの両端縁の外側に横方向へ延びるエンドフラップと、前記コアの両側縁の外側に縦方向へ延びるサイドフラップとを有する使い捨ておむつにおいて、
肌当接側に位置する透液性の上面シートと、肌非当接側に位置する透液性または不透液性の下面シートと、前記上下面シートの間に介在するとともに前記パネルの長さ方向へ延びる吸液性補助コアとから形成された排泄物を吸収可能な帯状の伸縮性パネルが、前記おむつの肌当接側における前記エンドフラップと前記サイドフラップとのうちの少なくとも一方に収縮可能に取り付けられており、
前記上面シートと前記下面シートとのうちの少なくとも一方が弾性的な伸縮性を有し、前記補助コアの周縁の外側に位置する前記上下面シートどうしが固着されていることを特徴とする前記おむつ。
【請求項２】
前記パネルが、肌当接側に位置する透液性の上面シートと、肌非当接側に位置する透液性または不透液性の下面シートと、前記上下面シートの間に介在するとともに前記パネルの長さ方向へ延びる吸液性補助コアとから形成され、
長さ方向へ延びる複数条の伸縮性弾性部材が、前記上面シートと前記下面シートとのうちの少なくとも一方に収縮可能に取り付けられ、前記補助コアの周縁の外側に位置する前記上下面シートどうしが固着されている請求項１記載のおむつ。
【請求項３】
前記補助コアが、前記パネルの長さ方向に分割され、多数の前記補助コアが、前記パネルの長さ方向へ互いに離間対向して並び、前記パネルでは、それら補助コアの周縁の外側に位置する前記上下面シートどうしが固着されている請求項１または請求項２に記載のおむつ。
【請求項４】
前記パネルの長さ方向へ互いに離間対向して並ぶ多数の止着手段が、前記下面シートの外面に形成され、前記パネルが、前記止着手段を介して前記おむつに着脱可能に取り付けられている請求項１ないし請求項３いずれかに記載のおむつ。
【請求項５】
前記止着手段が、前記下面シートの外面に取り付けられたフック部材と前記下面シートの外面に塗布された粘着剤とのうちのいずれか一方である請求項４記載のおむつ。
【発明の詳細な説明】
【０００１】
【発明の属する技術分野】
本発明は、排泄物を吸収、保持する使い捨ておむつに関する。
【０００２】
【従来の技術】
特開平１１−１２８２６８号公報は、肌当接側に位置する透液性表面シートと、肌非当接側に位置する不透液性裏面シートと、表裏面シートの間に介在する吸液性コアとから構成され、前胴周り域および後胴周り域と、それら胴周り域の間に位置する股下域とを備え、コアの両端縁の外側に横方向へ延びるエンドフラップと、コアの両側縁の外側に縦方向へ延びるサイドフラップとを有し、横方向へ延びる不透液性の第１防漏シートがエンドフラップに取り付けられ、縦方向へ延びる不透液性の第２防漏シートと第２防漏シートの内側に位置して縦方向へ延びる不透液性の第３防漏シートとがサイドフラップに取り付けられた使い捨ておむつを開示している。
【０００３】
第１防漏シートは、エンドフラップに固着されて横方向へ延びる固定側部と、表面シートの上方へ起立性向を有して横方向へ延びる自由側部と、おむつの縦方向内方へ倒伏した状態でエンドフラップに固着された固定両端部とを有する。第１防漏シートの自由側部には、横方向へ延びる伸縮性弾性部材が収縮可能に取り付けられている。第２および第３防漏シートは、サイドフラップに固着されて縦方向へ延びる固定側部と、表面シートの上方へ起立性向を有して縦方向へ延びる自由側部と、おむつの横方向内方へ倒伏した状態でサイドフラップに固着された固定両端部とを有する。第２および第３防漏シートの自由側部には、縦方向へ延びる伸縮性弾性部材が収縮可能に取り付けられている。
【０００４】
このおむつでは、それが表面シートを内側にして横方向へ湾曲すると、弾性部材が横方向内方へ収縮して第１防漏シートの自由側部が起立し、第１防漏シートの自由側部がエンドフラップからの排泄物の漏れを防ぐ障壁を形成する。また、このおむつでは、それが表面シートを内側にして縦方向へ湾曲すると、弾性部材が縦方向内方へ収縮して第２および第３防漏シートの自由側部が起立し、第２および第３防漏シートの自由側部がサイドフラップからの排泄物の漏れを防ぐ障壁を形成する。
【０００５】
【発明が解決しようとする課題】
前記公報に開示のおむつでは、第１防漏シートの自由側部と第２および第３防漏シートの自由側部とが起立して排泄物に対する障壁を形成したとしても、おむつに着用者の体圧がかかると、それら防漏シートの自由側部が容易に倒伏してしまい、それら防漏シートの自由側部と着用者の肌との間に隙間が生じる。それら防漏シートの自由側部が倒伏して着用者の肌との間に隙間が生じると、自由側部が排泄物に対する障壁として機能せず、表面シート上を拡散した排泄物が自由側部を乗り越え、排泄物がエンドフラップとサイドフラップとからおむつの外側に漏れてしまう場合がある。
【０００６】
本発明の課題は、エンドフラップとサイドフラップとからの排泄物の漏れを確実に防ぐことができる使い捨ておむつを提供することにある。
【０００７】
【課題を解決するための手段】
前記課題を解決するための本発明の前提は、肌当接側に位置する透液性表面シートと、肌非当接側に位置する不透液性裏面シートと、前記表裏面シートの間に介在する吸液性コアとから構成され、前胴周り域および後胴周り域と、それら胴周り域の間に位置する股下域とを備え、前記コアの両端縁の外側に横方向へ延びるエンドフラップと、前記コアの両側縁の外側に縦方向へ延びるサイドフラップとを有する使い捨ておむつである。
【０００８】
前記前提における本発明の特徴は、肌当接側に位置する透液性の上面シートと、肌非当接側に位置する透液性または不透液性の下面シートと、前記上下面シートの間に介在するとともに前記パネルの長さ方向へ延びる吸液性補助コアとから形成された排泄物を吸収可能な帯状の伸縮性パネルが、前記おむつの肌当接側における前記エンドフラップと前記サイドフラップとのうちの少なくとも一方に収縮可能に取り付けられており、前記上面シートと前記下面シートとのうちの少なくとも一方が弾性的な伸縮性を有し、前記補助コアの周縁の外側に位置する前記上下面シートどうしが固着されていることにある。
【００１０】
本発明の実施の態様の一例としては、前記パネルが、肌当接側に位置する透液性の上面シートと、肌非当接側に位置する透液性または不透液性の下面シートと、前記上下面シートの間に介在するとともに前記パネルの長さ方向へ延びる吸液性補助コアとから形成され、その長さ方向へ延びる複数条の伸縮性弾性部材が、前記上面シートと前記下面シートとのうちの少なくとも一方に収縮可能に取り付けられ、前記補助コアの周縁の外側に位置する前記上下面シートどうしが固着されている。
【００１１】
本発明の実施の態様の他の一例としては、前記補助コアが前記パネルの長さ方向に分割され、多数の前記補助コアが前記パネルの長さ方向へ互いに離間対向して並び、前記パネルでは、それら補助コアの周縁の外側に位置する前記上下面シートどうしが固着されている。
【００１２】
本発明の実施の態様の他の一例としては、前記パネルの長さ方向へ互いに離間対向して並ぶ多数の止着手段が前記下面シートの外面に形成され、前記パネルが前記止着手段を介して前記おむつに着脱可能に取り付けられている。
【００１３】
本発明の実施の態様の他の一例としては、前記止着手段が前記下面シートの外面に取り付けられたフック部材と前記下面シートの外面に塗布された粘着剤とのうちのいずれか一方である。
【００１４】
【発明の実施の形態】
添付の図面を参照し、本発明にかかる使い捨ておむつの詳細を説明すると、以下のとおりである。
【００１５】
図１，２は、一例として示すおむつ１Ａの部分破断斜視図と、図１のＡ−Ａ線端面図とであり、図３，４は、図１のＢ−Ｂ線矢視断面図と、図１のＣ−Ｃ線矢視断面図とである。図１では、横方向を矢印Ｘで示し、縦方向を矢印Ｙで示す。なお、表面シート２や裏面シート３の内面とは、コア４に対向する面をいい、それらシート２，３の外面とは、コア４に非対向の面をいう。また、上面シート１４と下面シート１５との内面とは、補助コア１６に対向する面をいい、それらシート１４，１５の外面とは、補助コア１６に非対向の面をいう。
【００１６】
おむつ１Ａは、肌当接側に位置する透液性表面シート２と、肌非当接側に位置する不透液性裏面シート３と、表裏面シート２，３の間に介在してそれらシート２，３のうちの少なくとも一方の内面に固着された吸液性コア４とから構成されている。おむつ１Ａは、縦方向に前胴周り域５および後胴周り域７と、それら胴周り域５，７の間に位置する股下域６とを有する。
【００１７】
おむつ１Ａでは、表面シート２が親水性繊維不織布ｆ１から形成され、裏面シート３が疎水性繊維不織布ｆ２と通気不透液性プラスチックフィルムｆ３とを重ね合わせた複合シートから形成されている。コア４は、股下域６から前後胴周り域５，７へ向かって延び、前後胴周り域５，７を横方向へ延びる両端縁４ａと、両端縁４ａの間を縦方向へ延びる両側縁４ｂとを有する。おむつ１Ａは、コア４の両端縁４ａの外側に位置する一対のエンドフラップ８と、コア４の両側縁４ｂの外側に位置する一対のサイドフラップ９とを有する。
【００１８】
エンドフラップ８は、前後胴周り域５，７を横方向へ延びている。サイドフラップ９は、エンドフラップ８の間を縦方向へ延びている。サイドフラップ９は、股下域６においておむつ１Ａの横方向内方へ向かって弧を画いている。おむつ１Ａは、その平面形状が実質的に砂時計型を呈する。エンドフラップ８には、排泄物を吸収可能な横方向へ長い帯状の伸縮性パネルＰ１が収縮可能に取り付けられている。サイドフラップ９には、排泄物を吸収可能な縦方向へ長い帯状の伸縮性パネルＰ２が収縮可能に取り付けられている。
【００１９】
パネルＰ１は、横方向へ延びる両側縁部１０と、縦方向へ延びる両端縁部１１とを有する。パネルＰ２は、縦方向へ延びる両側縁部１２と、横方向へ延びる両端縁部１３とを有する。それらパネルＰ１，Ｐ２は、肌当接側に位置する透液性の上面シート１４と、肌非当接側に位置する不透液性の下面シート１５と、上下面シート１４，１５の間に介在する多数の吸液性補助コア１６とから形成されている。
【００２０】
パネルＰ１では、補助コア１６が横方向（パネルＰ１の長さ方向）へ互いに離間対向して間欠的に並んでいる。パネルＰ２では、補助コア１６が縦方向（パネルＰ２の長さ方向）へ互いに離間対向して間欠的に並んでいる。それらパネルＰ１，Ｐ２では、上面シート１４と下面シート１５とが弾性的な伸縮性を有し、補助コア１６の周縁の外側に位置する上下面シート１４，１５の内面どうしが固着されている。隣り合う補助コア１６どうしの間では、上面シート１４が下面シート１５の側へ陥入している。補助コア１６は、上下面シート１４，１５に固着されていない。
【００２１】
上面シート１４は、伸縮性かつ親水性繊維不織布ｆ４から形成されている。下面シート１５は、伸縮性かつ疎水性繊維不織布ｆ５と伸縮性かつ不透液性プラスチックフィルムｆ６とを重ね合わせた複合シートから形成されている。下面シート１５では、不織布ｆ５が補助コア１６に対向し、フィルムｆ６が表面シート２に対向している。パネルＰ１の下面シート１５の外面には、横方向（パネルＰ１の長さ方向）へ互いに離間対向して間欠的に並ぶ多数のフック部材１７（止着手段）がホットメルト型接着剤（図示せず）を介して取り付けられている。パネルＰ２の下面シート１５の外面には、縦方向（パネルＰ２の長さ方向）へ互いに離間対向して間欠的に並ぶ多数のフック部材１７（止着手段）がホットメルト型接着剤（図示せず）を介して取り付けられている。
【００２２】
それらパネルＰ１，Ｐ２は、フック部材１７を介して表面シート２の外面に着脱可能に止着されている。フック部材１７は、表面シート２を形成する不織布ｆ１の繊維に引っかかっている。パネルＰ１は、その収縮力に抗してそれを横方向へ伸長させた状態でエンドフラップ８に取り付けられている。パネルＰ２は、その収縮力に抗してそれを縦方向へ伸長させた状態でサイドフラップ９に取り付けられている。エンドフラップ８では、パネルＰ１が横方向内方へ収縮し、そこに多数のギャザーが形成されている。サイドフラップ９では、パネルＰ２が縦方向内方へ収縮し、そこに多数のギャザーが形成されている。
【００２３】
エンドフラップ８では、コア４の端縁４ａから縦方向外方へ表面シート２の端部２ａと裏面シート３の端部３ａとが延び、それらシート２，３の端部２ａ，３ａ内面どうしが固着されている。サイドフラップ９では、コア４の側縁４ｂから横方向外方へ表面シート２の側部２ｂと裏面シート３の側部３ｂとが延び、それらシート２，３の側部２ｂ，３ｂ内面どうしが固着されている。
【００２４】
後胴周り域７には、サイドフラップ９から横方向外方へ延びるテープファスナ１８が取り付けられている。テープファスナ１８の自由端部には、フック部材１９が取り付けられている。前胴周り域５における裏面シート３の外面には、テープファスナ１８を着脱可能に止着する横方向へ長い矩形のターゲットテープ２０が取り付けられている。ターゲットテープ２０は、ループ部材２１から形成されている。
【００２５】
おむつ１Ａを着用するには、後胴周り域７のサイドフラップ９を前胴周り域５のサイドフラップ９の外側に重ね合わせ、フック部材１９とループ部材２１とを係合させてテープファスナ１８の自由端部をターゲットテープ２０に止着し、前胴周り域５と後胴周り域７とを連結する。前後胴周り域５，６が連結されたおむつ１Ａには、胴周り開口とその下方に一対の脚周り開口とが形成される（図示せず）。
【００２６】
おむつ１Ａでは、それらパネルＰ１，Ｐ２を形成する補助コア１６が所定の厚みを有するので、エンドフラップ８とサイドフラップ９とに取り付けられたパネルＰ１，Ｐ２が表面シート２から上方へ隆起する障壁を形成する。おむつ１Ａでは、それらパネルＰ１，Ｐ２が排泄物に対する障壁を形成するとともに、補助コア１６が排泄物を吸収するので、おむつ１Ａに排泄された排泄物が表面シート２上を拡散してエンドフラップ８とサイドフラップ９とに流動したとしても、排泄物の流動がそれらパネルＰ１，Ｐ２によって阻止される。ゆえに、おむつ１Ａでは、排泄物がエンドフラップ８とサイドフラップ９とからおむつ１Ａの外側に漏れてしまうことを防ぐことができる。
【００２７】
おむつ１Ａでは、それに着用者の体圧がかかって補助コア１６が潰れたとしても、パネルＰ１，Ｐ２と着用者の肌との間に隙間が生じることはない。また、着用者の体圧が解除されると、補助コア１６が弾性変形し、パネルＰ１，Ｐ２が再び表面シート２の上方へ隆起して障壁を形成するので、パネルＰ１，Ｐ２と着用者の肌との密着状態を維持することができ、エンドフラップ８とサイドフラップ９とからの排泄物の漏れを確実に防ぐことができる。
【００２８】
おむつ１Ａでは、伸縮性を有するそれらパネルＰ１，Ｐ２がエンドフラップ８とサイドフラップ９とに収縮可能に取り付けられることで、おむつ１Ａを着用したときに、それらパネルＰ１，Ｐ２の収縮力を利用して着用者の胴部と脚部とを締め付けることができ、おむつ１Ａが着用者の胴部から不用意にずれ下がってしまうことを防ぐことができる。
【００２９】
パネルＰ１，Ｐ２に達した排泄物は、上面シート１４を透過して補助コア１６に吸収される。パネルＰ１，Ｐ２では、それに滲入した排泄物が上面シート１４を形成する不織布ｆ４と下面シート１５を形成する不織布ｆ５との毛細管現象によってパネルＰ１，Ｐ２全域に拡散するので、補助コア１６の全てに排泄物を吸収させることができる。
【００３０】
このおむつ１Ａでは、パネルがエンドフラップ８とサイドフラップ９とのうちのいずれか一方に取り付けられていてもよく、パネルＰ１，Ｐ２がホットメルト型接着剤を介してエンドフラップ８とサイドフラップ９とに収縮可能に固着されていてもよい。
【００３１】
図５，６は、他の一例として示すおむつ１Ｂの部分破断斜視図と、図５のＤ−Ｄ線矢視断面図とであり、図７は、図５のＥ−Ｅ線矢視断面図である。図５では、横方向を矢印Ｘで示し、縦方向を矢印Ｙで示す。
【００３２】
おむつ１Ｂは、透液性表面シート２と、不透液性裏面シート３と、表裏面シート２，３の間に介在する吸液性コア４とから構成され、前後胴周り域５，７と、それら胴周り域５，７の間に位置する股下域６とを有する。おむつ１Ｂでは、表面シート２が親水性繊維不織布ｆ１から形成され、裏面シート３が疎水性繊維不織布ｆ２を重ね合わせた複合不織布から形成されている。おむつ１Ｂは、コア４の両端縁４ａの外側に横方向へ延びるエンドフラップ８と、コア４の両側縁４ｂの外側に縦方向へ延びるサイドフラップ９とを有する。
【００３３】
エンドフラップ８には、横方向へ延びる帯状の胴周り用弾性部材２２が収縮可能に取り付けられている。胴周り用弾性部材２２は、表面シート２の端部２ａと裏面シート３の端部３ａとの間に介在し、それらシート２，３の端部２ａ，３ａ内面に固着されている。サイドフラップ９には、排泄物を吸収可能な縦方向へ長い帯状の伸縮性パネルＰ２が収縮可能に取り付けられている。サイドフラップ９には、パネルＰ２の内側に位置して縦方向へ延びる一対の不透液性防漏シート２３が取り付けられている。
【００３４】
パネルＰ２は、両側縁部１２および両端縁部１３を有し、実質的に非伸縮性かつ透液性の上面シート１４と、弾性的な伸縮性を有する透液性の下面シート１５と、上下面シート１４，１５の間に介在する多数の吸液性補助コア１６とから形成されている。補助コア１６は、縦方向（パネルＰ２の長さ方向）へ互いに離間対向して間欠的に並んでいる。パネルＰ２では、下面シート１５を縦方向へ伸長させた状態で、補助コア１６の周縁の外側に位置する上面シート１４の内面と下面シート１５の内面とが固着されている。隣り合う補助コア１６どうしの間では、上面シート１４が下面シート１５の側へ陥入している。補助コア１６は、上下面シート１４，１５に固着されていない。
【００３５】
上面シート１４は、非伸縮性かつ親水性繊維不織布ｆ７から形成されている。下面シート１５は、伸縮性かつ疎水性繊維不織布ｆ５から形成されている。下面シート１５の外面には、縦方向（パネルＰ２の長さ方向）へ互いに離間対向して間欠的に並ぶ多数の粘着剤２４（止着手段）が塗布されている。
【００３６】
防漏シート２３は、非伸縮性かつ疎水性繊維不織布ｆ８から形成され、股下域６から前後胴周り域５，７へ向かって延びている。防漏シート２３は、サイドフラップ９に固着されて縦方向へ延びる固定側部２３ａと、表面シート２の上方へ起立性向を有して縦方向へ延びる自由側部２３ｂと、おむつ１Ｂの横方向内方へ倒伏した状態でエンドフラップ８に固着された固定両端部２３ｃとを有する。自由側部２３ｂには、縦方向へ延びる伸縮性弾性部材２５が収縮可能に取り付けられている。弾性部材２５は、自由側部２３ｂの一部に被覆されている。
【００３７】
パネルＰ２は、防漏シート２３の外側に配置され、粘着剤２４を介して防漏シート２３の固定側部２３ａに着脱可能に止着されている。パネルＰ２は、その収縮力に抗してそれを縦方向へ伸長させた状態でサイドフラップ９に取り付けられている。エンドフラップ８では、胴周り用弾性部材２２が横方向内方へ収縮し、そこに多数のギャザーが形成されている。サイドフラップ９では、パネルＰ２が縦方向内方へ収縮し、そこに多数のギャザーが形成されている。
【００３８】
サイドフラップ９では、コア４の側縁４ｂから横方向外方へ表面シート２の側部２ｂがわずかに延び、表面シート２の側部２ｂからさらに横方向外方へ裏面シート３の側部３ｂと防漏シート２３の固定側部２３ａとが延びている。表面シート２の側部２ｂは、裏面シート３の側部３ｂと防漏シート２３の固定側部２３ａとの間に介在し、それら側部３ｂ，２３ａ内面に固着されている。裏面シート３の側部３ｂと防漏シート２３の固定側部２３ａとは、それら側部３ｂ，２３ａの互いに重なり合う部分が固着されている。防漏シート２３の固定両端部２３ｃは、表面シート２の外面に固着されている。
【００３９】
おむつ１Ｂでは、パネルＰ２が排泄物に対する障壁を形成するので、排泄物が表面シート２上を拡散してサイドフラップ９に流動したとしても、排泄物がサイドフラップ９からおむつ１Ｂの外側に漏れてしまうことを防ぐことができる。おむつ１Ｂは、それに着用者の体圧がかかって補助コア１６が潰れたとしても、パネルＰ２と着用者の肌との間に隙間が生じることはなく、着用者の体圧が解除されると、パネルＰ２が再び隆起して障壁を形成するので、パネルＰ２と着用者の肌との密着状態を維持することができ、サイドフラップ９からの排泄物の漏れを確実に防ぐことができる。
【００４０】
おむつ１Ｂでは、伸縮性を有するパネルＰ２がサイドフラップ９に収縮可能に取り付けられることで、おむつ１Ｂを着用したときに、パネルＰ２の収縮力を利用して着用者の脚部を締め付けることができる。パネルＰ２に達した排泄物は、上面シート１４と下面シート１５とを透過して補助コア１６に吸収される。パネルＰ２では、排泄物が上面シート１４のみならず下面シート１５を透過して補助コア１６に吸収されるので、補助コア１６に排泄物を効率よく吸収させることができる。
【００４１】
おむつ１Ｂでは、それが表面シート２を内側にして縦方向へ湾曲すると、弾性部材２５が縦方向へ収縮して防漏シート２３の自由側部２３ｂが表面シート２の上方へ起立し、防漏シート２３の自由側部２３ｂが排泄物に対する障壁を形成する。おむつ１Ｂでは、それに着用者の体圧がかかり、防漏シート２３の起立した自由側部２３ｂが倒伏したとしても、パネルＰ２によって自由側部２３ｂを乗り越えた排泄物の流動を阻止することができる。
【００４２】
このおむつ１Ｂでは、パネルがサイドフラップ９のみならず、エンドフラップ８に取り付けられていてもよく、パネルＰ２がホットメルト型接着剤を介してサイドフラップ９に収縮可能に固着されていてもよい。
【００４３】
図８，９は、他の一例として示すおむつ１Ｃの斜視図と、前後胴周り域の連結を解除した状態で示す図８のおむつ１Ｃの部分破断展開平面図であり、図１０は、図８のＦ−Ｆ線矢視断面図である。図８では、横方向を矢印Ｘで示し、縦方向を矢印Ｙで示す。
【００４４】
おむつ１Ｃは、透液性表面シート２と、不透液性裏面シート３と、表裏面シート２，３の間に介在する吸液性コア４とから構成され、前後胴周り域５，７と、それら胴周り域５，７の間に位置する股下域６とを有する。おむつ１Ｃでは、表面シート２が親水性繊維不織布ｆ１から形成され、裏面シート３が互いに重なり合う２枚の通気不透液性プラスチックフィルムｆ３から形成されている。
【００４５】
おむつ１Ｃは、コア４の両端縁４ａの外側に横方向へ延びるエンドフラップ８と、コア４の両側縁４ｂの外側に縦方向へ延びるサイドフラップ９とを有する。おむつ１Ｃでは、前胴周り域５のサイドフラップ９と後胴周り域７のサイドフラップ９とが合掌状に重なり合い、それら胴周り域５，７のサイドフラップ９どうしが縦方向へ間欠的に並ぶ多数の熱融着線２６を介して固着されている。おむつ１Ｃには、胴周り開口２７とその下方に一対の脚周り開口２８とが形成されている。エンドフラップ８には、排泄物を吸収可能な帯状の伸縮性パネルＰ１が収縮可能に取り付けられている。サイドフラップ９には、排泄物を吸収可能な帯状の伸縮性パネルＰ２が収縮可能に取り付けられている。
【００４６】
パネルＰ１は、図８に示すように、エンドフラップ８を横方向へ延びている。パネルＰ２は、サイドフラップ９を縦方向へ延びている。それらパネルＰ１，Ｐ２は、両側縁部１０，１２および両端縁部１１，１３を有し、透液性の上面シート１４と、不透液性の下面シート１５と、上下面シート１４，１５の間に介在する多数の吸液性補助コア１６とから形成されている。
【００４７】
パネルＰ１では、補助コア１６が横方向（パネルＰ１の長さ方向）へ互いに離間対向して間欠的に並んでいる。パネルＰ２では、補助コア１６が縦方向（パネルＰ２の長さ方向）へ互いに離間対向して間欠的に並んでいる。パネルＰ１には、横方向（パネルＰ１の長さ方向）へ延びる複数条の伸縮性弾性部材２９が収縮可能に取り付けられている。パネルＰ２には、縦方向（パネルＰ２の長さ方向）へ延びる複数条の伸縮性弾性部材３０が収縮可能に取り付けられている。パネルＰ１，Ｐ２では、それら補助コア１６の周縁の外側に位置する上下面シート１４，１５の内面どうしが固着されている。隣り合う補助コア１６どうしの間では、上面シート１４が下面シート１５の側へ陥入している。補助コア１６は、上下面シート１４，１５に固着されていない。
【００４８】
上面シート１４は、非伸縮性かつ親水性繊維不織布ｆ８から形成されている。下面シート１５は、非伸縮性かつ疎水性繊維不織布ｆ９と非伸縮性かつ不透液性プラスチックフィルムｆ１０とを重ね合わせた複合シートから形成されている。下面シート１５では、不織布ｆ９が補助コア１６に対向し、フィルムｆ１０が表面シート２に対向している。弾性部材２９，３０は、下面シート１５を形成する不織布ｆ９とプラスチックフィルムｆ１０との間に介在し、それらに固着されている。
【００４９】
それらパネルＰ１，Ｐ２は、下面シート１５の外面に塗布されたホットメルト型接着剤（図示せず）を介して表面シート２の外面に固着されている。パネルＰ１は、その収縮力に抗してそれを横方向へ伸長させた状態でエンドフラップ８に取り付けられている。パネルＰ２は、その収縮力に抗してそれを縦方向へ伸長させた状態でサイドフラップ９に取り付けられている。エンドフラップ８では、パネルＰ１が横方向内方へ収縮し、そこに多数のギャザーが形成されている。サイドフラップ９では、パネルＰ２が縦方向内方へ収縮し、そこに多数のギャザーが形成されている。
【００５０】
おむつ１Ｃでは、パネルＰ１，Ｐ２が排泄物に対する障壁を形成するので、排泄物が表面シート２上を拡散してエンドフラップ８とサイドフラップ９とに流動したとしても、排泄物がそれらフラップ８，９からおむつ１Ｃの外側に漏れてしまうことを防ぐことができる。おむつ１Ｃは、それに着用者の体圧がかかって補助コア１６が潰れたとしても、パネルＰ１，Ｐ２と着用者の肌との間に隙間が生じることはなく、着用者の体圧が解除されると、パネルＰ１，Ｐ２が再び隆起して障壁を形成するので、パネルＰ１，Ｐ２と着用者の肌との密着状態を維持することができ、エンドフラップ８とサイドフラップ９とからの排泄物の漏れを確実に防ぐことができる。
【００５１】
おむつ１Ｃでは、伸縮性を有するそれらパネルＰ１，Ｐ２がエンドフラップ８とサイドフラップ９とに収縮可能に固着されているので、おむつ１Ｃを着用したときに、パネルＰ１，Ｐ２の収縮力を利用して着用者の胴部と脚部とを締め付けることができる。
【００５２】
パネルＰ１，Ｐ２に達した排泄物は、上面シート１４を透過して補助コア１６に吸収される。パネルＰ１，Ｐ２では、それに滲入した排泄物が上面シート１４を形成する不織布ｆ８と下面シート１５を形成する不織布ｆ９との毛細管現象によってパネルＰ１，Ｐ２全域に拡散するので、補助コア１６の全てに排泄物を吸収させることができる。
【００５３】
このおむつ１Ｃでは、パネルがエンドフラップ８とサイドフラップ９とのうちのいずれか一方に取り付けられていてもよく、弾性部材が上面シート１４と補助コア１６との間に介在し、上面シート１４の内面に固着されていてもよい。
【００５４】
図１１，１２は、他の一例として示すおむつ１Ｄの斜視図と、図１１のＧ−Ｇ線端面図とである。
【００５５】
おむつ１Ｄは、透液性表面シート２と、不透液性裏面シート３と、表裏面シート２，３の間に介在する吸液性コア４とから構成され、前後胴周り域５，７と、それら胴周り域５，７の間に位置する股下域６とを有する。おむつ１Ｄでは、表面シートが親水性繊維不織布ｆ１から形成され、裏面シート３が疎水性繊維不織布ｆ２と通気不透液性プラスチックフィルムｆ３とを重ね合わせた複合シートから形成されている。おむつ１Ｄは、コア４の両端縁４ａの外側に横方向へ延びるエンドフラップ８と、コア４の両側縁４ｂの外側に縦方向へ延びるサイドフラップ９とを有する。
【００５６】
エンドフラップ８には、排泄物を吸収可能な横方向へ長い帯状の伸縮性パネルＰ１が収縮可能に取り付けられている。サイドフラップ９には、縦方向へ延びる複数条の脚周り用弾性部材３１が収縮可能に取り付けられている。脚周り用弾性部材３１は、表面シート２の側部２ｂと裏面シート３の側部３ｂとの間に介在し、それらシート２，３の側部２ｂ，３ｂ内面に固着されている。
【００５７】
パネルＰ１は、両側縁部１０および両端縁部１１を有し、伸縮性かつ透液性の上面シート１４と、伸縮性かつ不透液性の下面シート１５と、上下面シート１４，１５の間に介在する吸液性補助コア１６とから形成されている。補助コア１６は、横方向（パネルＰ１の長さ方向）へ一連に延びている。パネルＰ１では、補助コア１６の周縁の外側に位置する上下面シート１４，１５の内面どうしが固着されている。補助コア１６は、上下面シート１４，１５に固着されていない。上面シート１４は、伸縮性かつ親水性繊維不織布ｆ４から形成されている。下面シート１５は、伸縮性かつ疎水性繊維不織布ｆ５から形成されている。
【００５８】
パネルＰ１は、下面シート１５の外面に塗布されたホットメルト型接着剤（図示せず）を介して表面シート２の外面に固着されている。パネルＰ１は、その収縮力に抗してそれを横方向へ伸長させた状態でエンドフラップ８に取り付けられている。エンドフラップ８では、パネルＰ１が横方向内方へ収縮し、そこに多数のギャザーが形成されている。サイドフラップ９では、脚周り用弾性部材３１が縦方向内方へ収縮し、そこに多数のギャザーが形成されている。
【００５９】
おむつ１Ｄでは、パネルＰ１が排泄物に対する障壁を形成するので、排泄物が表面シート２上を拡散してエンドフラップ８に流動したとしても、排泄物がフラップ８からおむつ１Ｄの外側に漏れてしまうことを防ぐことができる。おむつ１Ｄは、それに着用者の体圧がかかって補助コア１６が潰れたとしても、パネルＰ１と着用者の肌との間に隙間が生じることはなく、着用者の体圧が解除されると、パネルＰ１が再び隆起して障壁を形成するので、パネルＰ１と着用者の肌との密着状態を維持することができ、エンドフラップ８からの排泄物の漏れを確実に防ぐことができる。
【００６０】
おむつ１Ｄでは、伸縮性を有するパネルＰ１がエンドフラップ８に収縮可能に固着されているので、おむつ１Ｄを着用したときに、パネルＰ１の収縮力を利用して着用者の胴部を締め付けることができる。パネルＰ１に達した排泄物は、上面シート１４を透過して補助コア１６に吸収される。
【００６１】
このおむつ１Ｄでは、パネルがエンドフラップ８のみならず、サイドフラップ９に取り付けられていてもよく、パネルＰ１が止着手段を介してエンドフラップ８に着脱可能かつ収縮可能に止着されていてもよい。
【００６２】
表面シート２には、多数の開孔を有する疎水性繊維不織布、微細な多数の開孔を有する透液性プラスチックフィルムのいずれかを使用することもできる。裏面シート３には、疎水性繊維不織布を使用することもできる。裏面シート３には、高い耐水性を有するメルトブローン法による繊維不織布を、高い強度と良好な柔軟性とを有するスパンボンド法による繊維不織布で挟んだ複合不織布を使用することもできる。
【００６３】
不織布ｆ１，ｆ２，ｆ７，ｆ８，ｆ９としては、スパンレース、ニードルパンチ、メルトブローン、サーマルボンド、スパンポンド、ケミカルボンド、エアースルー、の各製法により製造されたものを使用することができる。不織布ｆ１，ｆ２，ｆ７，ｆ８，ｆ９の構成繊維としては、ポリオレフィン系、ポリエステル系、ポリアミド系、の各繊維、ポリエチレン／ポリプロピレンやポリエチレン／ポリエステルからなる芯鞘型複合繊維または並列型複合繊維を使用することができる。
【００６４】
下面シート１５には、伸縮性かつ不透液性プラスチックフィルムを使用することもできる。伸縮性繊維不織布ｆ４，ｆ５には、メルトブローンやスパンボンドの各製法により製造されたものを使用することができる。伸縮性不織布ｆ４，ｆ５の構成繊維には、熱可塑性エラストマー樹脂を溶融、紡糸した伸縮性繊維を使用することができる。
【００６５】
また、上下面シート１４，１５には、熱可塑性エラストマー樹脂繊維からなる伸縮性かつ疎水性繊維不織布の少なくとも片面に、ポリプロピレン、ポリエチレン、ポリエステル、のいずれかの熱可塑性合成樹脂を溶融、紡糸した捲縮繊維からなる疎水性繊維不織布を重ね合わせた複合不織布を使用することもできる。
【００６６】
コア４と補助コア１６とは、フラッフパルプと高吸収性ポリマー粒子との混合物、または、フラッフパルプと高吸収性ポリマー粒子と熱可塑性合成樹脂繊維との混合物であり、所与厚みに圧縮されている。ゆえに、それらコア４，１６は、弾力性を有する。それらコア４，１６は、それの型崩れやポリマー粒子の脱落を防止するため、全体がティッシュペーパーや親水性繊維不織布等の透液性シートに被覆されていることが好ましい。ポリマー粒子としては、デンプン系、セルロース系、合成ポリマー系のものを使用することができる。
【００６７】
表裏面シート２，３どうしの固着、表裏面シート２，３に対するコア４の固着や防漏シート２３の固着、表裏シート２，３に対する弾性部材２２，３１の固着、上下面シート１４，１５どうしの固着、上下面シート１４，１５に対する弾性部材２９，３０の固着には、ホットメルト型接着剤、または、ヒートシールやソニックシール等の熱による溶着手段を利用することができる。
【００６８】
【発明の効果】
本発明にかかる使い捨ておむつによれば、エンドフラップとサイドフラップとのうちの少なくとも一方に排泄物を吸収可能な帯状の伸縮性パネルが収縮可能に取り付けられ、パネルが排泄物に対する障壁を形成する。このおむつでは、それに排泄された排泄物が表面シート上を拡散してエンドフラップとサイドフラップとに流動したとしても、排泄物の流動がパネルによって阻止され、排泄物がエンドフラップとサイドフラップとからおむつの外側に漏れてしまうことを防ぐことができる。このおむつでは、それに着用者の体圧がかかってそれらパネルが潰れてたとしても、着用者の肌とパネルとの間に隙間が生じることはなく、着用者の体圧が解除されると、それらパネルが弾性変形し、パネルが再び隆起して障壁を形成するので、パネルと着用者の肌との密着状態を維持することができ、エンドフラップとサイドフラップとからの排泄物の漏れを確実に防ぐことができる。このおむつでは、パネルが伸縮性を有するので、おむつを着用したときに、それらパネルの収縮力を利用して着用者の胴部と脚部とを締め付けることができる。
【００６９】
パネルが止着手段を介して表面シートの外面に着脱可能なおむつでは、市販のおむつにパネルを着脱可能に取り付けることができ、おむつのエンドフラップとサイドフラップとのうちの少なくとも一方に排泄物に対する障壁を容易に形成することができる。
【図面の簡単な説明】
【図１】一例として示すおむつの部分破断斜視図。
【図２】図１のＡ−Ａ線端面図。
【図３】図１のＢ−Ｂ線矢視断面図。
【図４】図１のＣ−Ｃ線矢視断面図。
【図５】他の一例として示すおむつの部分破断斜視図。
【図６】図５のＤ−Ｄ線矢視断面図。
【図７】図５のＥ−Ｅ線矢視断面図。
【図８】他の一例として示すおむつの斜視図。
【図９】前後胴周り域の連結を解除した状態で示す図８のおむつの部分破断展開平面図。
【図１０】図７のＦ−Ｆ線矢視断面図。
【図１１】他の一例として示すおむつ１Ｄの斜視図。
【図１２】図１１のＧ−Ｇ線端面図。
【符号の説明】
１Ａ          使い捨ておむつ
１Ｂ          使い捨ておむつ
１Ｃ          使い捨ておむつ
１Ｄ          使い捨ておむつ
２            透液性表面シート
３            不透液性裏面シート
４            吸液性コア
５            前胴周り域
６            股下域
７            後胴周り域
８            エンドフラップ
９            サイドフラップ
１４            上面シート
１５            下面シート
１６            補助コア
１７            フック部材（止着手段）
２２            伸縮性弾性部材
２４            粘着剤（止着手段）
Ｐ１            伸縮性パネル
Ｐ２            伸縮性パネル
【図１】
0003851835.tif 000002
【図２】
0003851835.tif 000003
【図３】
0003851835.tif 000004
【図４】
0003851835.tif 000005
【図５】
0003851835.tif 000006
【図６】
0003851835.tif 000007
【図７】
0003851835.tif 000008
【図８】
0003851835.tif 000009
【図９】
0003851835.tif 000010
【図１０】
0003851835.tif 000011
【図１１】
0003851835.tif 000012
【図１２】
0003851835.tif 000013